(57)【特許請求の範囲】
【請求項１】
車両の乗降口部の床面下方に設けて乗降口部に向けて開口を有するスロープ板収納部と、スロープ板収納部内へ移動自在に設けたスライド部材と、スライド部材に一端側を枢支して連結したスロープ板とを具備し、スライド部材はスロープ板収納部の開口より離間した原位置と開口に近接する作動位置との間を移動自在に電動モータにより駆動して設け、スロープ板はスライド部材の原位置でスロープ板収納部に収納した収納位置に位置すると共に、スライド部材の作動位置で一端側をスライド部材で支持して他端側を地面に接地して乗降口部の床面と地面との間に傾斜状態に保持した使用位置に位置し、スライド部材にはスロープ板の一端側を先端で相対移動自在に枢支する支持部を突設し、支持部の内部にはスロープ板をスライド部材と一体的に移動するよう弾性力により付勢するばねを収装し、スロープ板の枢支個所より突設してスライド部材の支持部内を延在するロッド部材を設け、スロープ板は収納位置から使用位置への移動における先端への障害物の当接でばねの弾性力に抗してスライド部材と相対移動して設け、スロープ板の相対移動により作動してスロープ板を収納位置へ戻すか又はスロープ板を停止するよう電動モータを制御するスイッチを設け、ロッド部材の先端には電動モータを制御するスイッチを作動するためのドグ部材を取り付けて成ることを特徴とする車両に装備されるスロープ板装置。
【請求項２】
スロープ板収納部の開口下方部には、スロープ板の使用位置から収納位置への移動で弾性力により上方に回動して開口を閉じると共に、スロープ板の収納位置から使用位置への移動で弾性力に抗してスロープ板に押されて下方に回動して開口を開く回動自在な開閉蓋を設け、スロープ板収納部の開口上方部には、スロープ板の収納位置から使用位置への移動でスロープ板に押されて上方に回動し、スロープ板の使用位置でスロープ板と乗降口部の床面との間に存在する隙間を塞ぎ、スロープ板の使用位置から収納位置への移動で自重により下方に回動する回動自在な補助板を設け、スロープ板の使用位置から収納位置への移動で弾性力により上方に回動して開口を閉じる開閉蓋の上方への回動により補助板の下方への回動を助成するよう補助板の回動中心を開閉蓋の回動中心よりスロープ板収納部内側に位置して設けたことを特徴とする請求項１に記載の車両に装備されるスロープ板装置。
【発明の詳細な説明】
【０００１】
【発明の属する技術分野】
本発明は、バス等の車両の乗降口部に装備されて乗客の乗降を可能とする車両に装備されるスロープ板装置に関する。
【０００２】
【従来の技術】
従来の車両に装備されるスロープ板装置は、スロープ板をスロープ板収納部に収納した収納位置と、スロープ板収納部より引き出して乗降口部の床面と地面との間に傾斜状態に架設した使用位置との間で出し入れ自在とし、身体障害者等のように車椅子を利用している乗客でも楽に乗降できるようにしている。（例えば、実開平６−２７３４３号公報参照）。
【０００３】
【発明が解決しようとする課題】
ところが、かかる従来の車両に装備されるスロープ板装置では、運転手等の人力により、スロープ板を収納位置と使用位置との間で出し入れしているため、スロープ板を使用する都度に、運転手が車両から降りてスロープ板を出し入れしなければならず、スロープ板の出し入れに手間がかかるという問題点があった。
【０００４】
本発明は、スロープ板を自動的に出し入れして、スロープ板の出し入れを容易にし得るようにした車両に装備されるスロープ板装置を提供することを課題としている。
【０００５】
【課題を解決するための手段】
このため、本発明の車両に装備されるスロープ板装置は、車両の乗降口部の床面下方に設けて乗降口部に向けて開口を有するスロープ板収納部と、スロープ板収納部内へ移動自在に設けたスライド部材と、スライド部材に一端側を枢支して連結したスロープ板とを具備し、スライド部材はスロープ板収納部の開口より離間した原位置と開口に近接する作動位置との間を移動自在に電動モータにより駆動して設け、スロープ板はスライド部材の原位置でスロープ板収納部に収納した収納位置に位置すると共に、スライド部材の作動位置で一端側をスライド部材で支持して他端側を地面に接地して乗降口部の床面と地面との間に傾斜状態に保持した使用位置に位置し、スライド部材にはスロープ板の一端側を先端で相対移動自在に枢支する支持部を突設し、支持部の内部にはスロープ板をスライド部材と一体的に移動するよう弾性力により付勢するばねを収装し、スロープ板の枢支個所より突設してスライド部材の支持部内を延在するロッド部材を設け、スロープ板は収納位置から使用位置への移動における先端への障害物の当接でばねの弾性力に抗してスライド部材と相対移動して設け、スロープ板の相対移動により作動してスロープ板を収納位置へ戻すか又はスロープ板を停止するよう電動モータを制御するスイッチを設け、ロッド部材の先端には電動モータを制御するスイッチを作動するためのドグ部材を取り付けて成る。
【０００６】
この場合、スロープ板収納部の開口下方部には、スロープ板の使用位置から収納位置への移動で弾性力により上方に回動して開口を閉じると共に、スロープ板の収納位置から使用位置への移動で弾性力に抗してスロープ板に押されて下方に回動して開口を開く回動自在な開閉蓋を設け、スロープ板収納部の開口上方部には、スロープ板の収納位置から使用位置への移動でスロープ板に押されて上方に回動し、スロープ板の使用位置でスロープ板と乗降口部の床面との間に存在する隙間を塞ぎ、スロープ板の使用位置から収納位置への移動で自重により下方に回動する回動自在な補助板を設け、スロープ板の使用位置から収納位置への移動で弾性力により上方に回動して開口を閉じる開閉蓋の上方への回動により補助板の下方への回動を助成するよう補助板の回動中心を開閉蓋の回動中心よりスロープ板収納部内側に位置して設けても良い。
【０００７】
【０００８】
【０００９】
【００１０】
かかる本発明の車両に装備されるスロープ板装置によると、スライド部材を電動モータにより駆動して原位置から作動位置に移動して停止すると、スライド部材に一端側を枢支して連結したスロープ板は、スロープ板収納部に収納した収納位置からスロープ板収納部の開口を介して外部に出され、一端側をスライド部材で支持して他端側を地面に接地して乗降口部の床面と地面との間に傾斜状態に保持される使用位置に位置し、身体障害者等の車椅子を利用している乗客でも楽に乗降できる。そして、このスロープ板が使用位置に位置している状態で、スライド部材を電動モータにより駆動して作動位置から原位置に移動して停止すると、スロープ板は開口を介してスロープ板収納部に入れられ、収納位置に位置する。このため、スライド部材を電動モータにより駆動して原位置と作動位置との間で移動することで、スロープ板を収納位置と使用位置との間で自動的に出し入れできるから、スロープ板の出し入れを容易にすることができる。
【００１１】
【発明の実施の形態】
以下、本発明の一実施形態を図面に基づき説明する。
図１において、１は車両としての低床式バスで、乗降口部２の床面３下方に後述詳記する車両に装備されるスロープ板装置を備え、この車両に装備されるスロープ板装置のスロープ板４が乗降口部２の床面３と車道より高く設置された歩道の地面５との間に傾斜状態に保持された使用位置に位置し、スロープ板４は両端を上方に折り曲げ形成している。
【００１２】
図２及び図３において、６は図１の低床式バス１の乗降口部２の床面３下方に設けたスロープ板収納部で、上方（図３の右方向）及び乗降口部２に向かう一方の側方（図２及び図３の下方向）を開口する略矩形状に板材を折り曲げ形成して設け、上方の開口を上板３Ａで閉塞して設け、上板３Ａは図１に示す如き、乗降口部２の床面３を構成している。７はスロープ板収納部６内へ移動自在に設けたスライド部材で、略矩形状に板材を折り曲げ形成して設け、スロープ板収納部６の側方の開口より離間した原位置と側方の開口に近接する作動位置（図２及び図３に示す位置）との間を移動自在に電動モータ８により駆動して設けている。電動モータ８はスロープ板収納部６内へスライド部材７の原位置近傍に配置している。
【００１３】
１０はスロープ板収納部６内へ回転自在に配置した送りねじで、スライド部材７の原位置と作動位置との間を延在して設け、減速歯車９Ａ、９Ｂを介して電動モータ８により回転駆動され、その外周部にはスライド部材７の中心部に取り付けたナット部材７Ａを螺合して設けている。これにより、スライド部材７は電動モータ８により駆動され原位置と作動位置との間を移動する。
【００１４】
１１はスライド部材７へ図２の紙面直交方向を軸として回転自在に取り付けた４個のローラー部材で、スロープ板収納部６の底面に送りねじ１０を介して図２の左右方向へ間隙を有して配置した２本のレール部材１２に摺接して設け、スライド部材７の図２左右方向への振れを阻止して設けている。１３はスライド部材７の両端へそれぞれ２個づつ図２左右方向を軸として回転自在に取り付けたローラー部材で、スロープ板収納部６の開口と直交する両側面にそれぞれ配置した断面がコ字状のレール部材１４の内部に摺接して設け、スライド部材７の図２の紙面直交方向への振れを阻止して設けている。スライド部材７はこれらの図２左右方向及び紙面直交方向への振れ阻止により原位置と作動位置との間をスムースに移動することができる。
【００１５】
１５は上板３Ａに穿設した手動操作用の操作穴で、通常は蓋１６で閉塞して設け、故障等で電動モータ８による送りねじ１０の回転駆動が不能となった非常時に、蓋１６を取り外してスパナ等の工具を床面３から差し込み可能に設け、工具による送りねじ１０の回転駆動でスライド部材７を移動自在に設けている。
【００１６】
１７Ａ、１７Ｂはスライド部材７に図２左右方向へ間隙を有して配置した２個の支持部で、スロープ板収納部６の側方の開口側へ向けて突設し、その先端にはスロープ板４の一端側を相対移動自在に枢支して連結している。スロープ板４はスライド部材７の原位置でスロープ板収納部６に収納した収納位置に位置すると共に、スライド部材７の作動位置で一端側をスライド部材７の支持部１７Ａ、１７Ｂで支持して他端側を地面５に接地して乗降口部２の床面３と地面５との間に傾斜状態に保持された使用位置（図２及び図３に示す位置）に位置して設けている。
【００１７】
以下、スライド部材７の支持部１７Ａを図４及び図５に基づき説明し、支持部１７Ｂは支持部１７Ａと同一構成であるため、同一個所に同符号を付して説明を省略する。
支持部１７Ａの先端には保持穴１９を穿設し、保持穴１９にはスロープ板４の一端側の裏面に突設した枢支部２０を軸部材２１により回転自在に保持する保持部材２２を図４及び図５の上下方向へ移動自在に嵌挿している。このため、スロープ板４は支持部１７Ａに相対移動自在に枢支して連結することになる。２３は支持部１７Ａの内部に収装したばねで、弾性力により保持部材２２を図４及び図５の下方向へ付勢して保持穴１９の下端に当接し、スロープ板４をスライド部材７と一体的に移動するよう設けている。そして、スロープ板４の収納位置から使用位置への移動におけるスロープ板４先端への障害物（例えば、乗客の足等）の当接でばね２３の弾性力に抗してスロープ板４をスライド部材７と相対移動して設け、この相対移動に伴い保持穴１９の下端に当接した保持部材２２は図４及び図５の上方向へ移動自在に設けている。
【００１８】
スロープ板４の枢支部２０を回転自在に保持する保持部材２２（スロープ板４の枢支個所）にはロッド部材２４を突設し、ロッド部材２４は支持部１７Ａ内を延在してスライド部材７の支持部１７Ａ突設側との対向側に先端を突出し、この先端にはドグ部材２５を取り付け、ドグ部材２５はスロープ板４のスライド部材７との相対移動に伴う保持部材２２の図４及び図５の上方向への移動でスライド部材７に取り付けたリミットスイッチ２６を作動自在に設けている。リミットスイッチ２６はドグ部材２５による作動で、収納位置から使用位置に移動するスロープ板４を収納位置に戻すよう電動モータ８を制御して設けている。なお、リミットスイッチ２６はドグ部材２５による作動で、収納位置から使用位置に移動するスロープ板４を停止するよう電動モータ８を制御して設けても良い。図４において、６Ａはスライド部材７の作動位置を規定する止め部材で、スロープ板収納部６の底面に配置し、作動位置に位置するスライド部材７と当接して設けている。
【００１９】
図２及び図３において、２７Ａ、２７Ｂは一端側をスライド部材７に枢支して他端側にスロープ板４の裏面に当接するローラー部材２８Ａ、２８Ｂを回転自在に有した２個の支持アームで、以下、支持アーム２７Ａを図５及び図６に基づき説明し、支持アーム２７Ｂは支持アーム２７Ａと同一構成であるため、同一個所に同符号を付して説明を省略する。
支持アーム２７Ａはその中間部に、スロープ板収納部６の底面に配置したカム部材２９に形成のカム面３０と接する摺接部としてローラー部材３１を回転自在に有し、スライド部材７への枢支個所を支点Ｘ、スロープ板４裏面への当接個所を作用点Ｙ、カム面３０と接する摺接個所を力点Ｚとしている。そして、支持アーム２７Ａはカム面３０の形状に沿う力点Ｚの上下動（図６左右方向）に伴い支点Ｘを中心として作用点Ｙを上下動して設け、スロープ板４は作用点Ｙの上下動に伴いスライド部材７の支持部１７Ａ先端に枢支した枢支個所を中心として図６の左右方向へ持ち上げ持ち下げ作動されながら収納位置と使用位置との間で出し入れ自在に設けている。なお、図６において、支持アーム２７Ａのローラー部材２８Ａはスロープ板４の裏面に有した補強フレーム４Ａに当接して設けている。
【００２０】
図２及び図３において、３２はスロープ板収納部６の開口を開閉する開閉蓋で、開口の下方部に回動自在に設けている。３３はスロープ板４の使用位置でスロープ板４と乗降口部２の床面３との間に存在する隙間を塞ぐ補助板で、スロープ板収納部６の開口の上方部に回動自在に設けている。そして、図４及び図６に示す如き、開閉蓋３２は蝶番３４により回動自在に設け、蝶番３４に有するねじりばねの弾性力により上方（図４及び図６の右方向）へ付勢され、スロープ板４の使用位置から収納位置への移動でねじりばねの弾性力により上方に回動して開口を閉じると共に、スロープ板４の収納位置から使用位置への移動でねじりばねの弾性力に抗してスロープ板４に押されて下方に回動して開口を開くよう設けている。補助板３３はスロープ板４の収納位置から使用位置への移動でスロープ板４に押されて上方に回動すると共に、スロープ板４の使用位置から収納位置への移動で自重により下方に回動して設けている。さらに、補助板３３はその回動中心を開閉蓋３２の回動中心よりスロープ板収納部６の内側、すなわち図４及び図６において上方に位置して設けると共に、その長さ寸法（図４及び図６の上下方向の寸法）を開閉蓋３２より短く設け、スロープ板４の使用位置から収納位置への移動でねじりばねの弾性力により上方に回動して開口を閉じる開閉蓋３２の上方への回動により押されて下方への回動を助成されるよう設け、開閉蓋３２が開口を閉じた状態で開閉蓋３２の内側に重ね合わせて設けている。
【００２１】
次に、かかる構成の作動を説明する。
図１ないし図３は、スライド部材７が作動位置に停止しており、スロープ板４は一端側をスライド部材７で支持して他端側を地面５に接地して乗降口部２の床面３と地面５との間に傾斜状態に保持される使用位置に位置し、身体障害者等の車椅子を利用している乗客でも楽に乗降できる。そして、開閉蓋３２は、図４及び図６に示す如き、スロープ板４の使用位置において、支持アーム２７Ａ、２７Ｂに当接して上方への回動を阻止されてスロープ板収納部６の開口を開く状態を保持している。また、補助板３３は上方に回動してスロープ板４と乗降口部２の床面３との間に存在する隙間を塞いでいる。
【００２２】
スロープ板４が使用位置に位置している図１ないし図３の状態で、電動モータ８により送りねじ１０を回転駆動してスライド部材７を作動位置から原位置に移動して停止すると、スライド部材７の作動位置から原位置への移動により、支持アーム２７Ａ、２７Ｂは、図６に示す力点Ｚがカム面３０に沿って上動するのに伴い支点Ｘを中心として作用点Ｙが上動し、スロープ板４は作用点Ｙの上動に伴いスライド部材７の支持部１７Ａ、１７Ｂ先端に枢支した枢支個所を中心として持ち上げ作動されて傾斜状態より水平状態になって、スロープ板収納部６の開口を介してスロープ板収納部６に入れられ、収納位置に位置する。そして、開閉蓋３２は蝶番３４に有するねじりばねの弾性力によって上方に回動して開口を閉じる。また、補助板３３は自重により下方に回動して開閉蓋３２の内側に重ね合わされるが、この時、開閉蓋３２の上方への回動により押されて下方への回動を助成される。
【００２３】
スロープ板４が収納位置に位置している状態で、電動モータ８により送りねじ１０を前記と逆方向に回転駆動してスライド部材７を原位置から図１ないし図３に示す作動位置に移動して停止すると、スライド部材７の原位置から作動位置への移動により、支持アーム２７Ａ、２７Ｂは、力点Ｚがカム面３０に沿って下動して図６に示す状態になるのに伴い支点Ｘを中心として作用点Ｙが下動して図４に示す状態になり、スロープ板４はスロープ板収納部６に収納した収納位置から開閉蓋３２、補助板３３を押してスロープ板収納部６の開口を介して外部に出され、作用点Ｙの下動に伴いスライド部材７の支持部１７Ａ、１７Ｂ先端に枢支した枢支個所を中心として持ち下げ作動されて水平状態より傾斜状態になって、図１ないし図３に示す使用位置に位置する。そして、開閉蓋３２はスロープ板４の収納位置から使用位置への移動で蝶番３４に有するねじりばねの弾性力に抗してスロープ板４に押されて下方に回動し、図１ないし図３に示す開口を開く状態になる。また、補助板３３はスロープ板４の収納位置から使用位置への移動でスロープ板４に押されて上方に回動し、図１ないし図３に示すスロープ板４と乗降口部２の床面３との間に存在する隙間を塞ぐ状態になる。
【００２４】
かかる作動で、電動モータ８により送りねじ１０を回転駆動してスライド部材７を原位置と作動位置との間で移動することで、スロープ板４を収納位置と使用位置との間で自動的に出し入れできるから、スロープ板４の出し入れを容易にすることができる。
【００２５】
そして、スロープ板４の収納位置から使用位置への移動において、スロープ板４の先端に乗客の足等の障害物が当接すると、スロープ板４はばね２３の弾性力に抗してスライド部材７と相対移動してリミットスイッチ２６を作動し、リミットスイッチ２６の作動で電動モータ８を制御して逆方向に回転駆動しスロープ板４を収納位置へ戻すか、又は電動モータ８を制御して駆動を停止しスロープ板４の移動を停止する。このため、スロープ板４を電動モータ８により自動的に出し入れしながらも、安全性を低下することなくできる。
【００２６】
また、スロープ板４を弾性力で付勢するばね２３は、スライド部材７に突設して先端でスロープ板４の一端側を相対移動自在に枢支する支持部１７Ａ、１７Ｂの内部に収装し、リミットスイッチ２６を作動するドグ部材２５を先端に取り付けたロッド部材２４は、スロープ板４の枢支個所より突設して支持部１７Ａ、１７Ｂ内を延在して設けているため、スロープ板４の一端側を相対移動自在に枢支する支持部１７Ａ、１７Ｂを利用してばね２３、ロッド部材２４を配置でき、ばね２３、ロッド部材２４を配置するための格別なスペースを不要にできる。そして、電動モータ８を制御するスイッチを、ドグ部材２５で作動するリミットスイッチ２６としているため、スイッチの作動を確実なものとすることができる。
【００２７】
また、スライド部材７に枢支してスロープ板４の裏面に当接する支持アーム２７Ａ、２７Ｂを設け、支持アーム２７Ａ、２７Ｂにはカム面３０と接する摺接部を有し、支持アーム２７Ａ、２７Ｂのスライド部材７への枢支個所を支点Ｘ、支持アーム２７Ａ、２７Ｂのスロープ板４裏面への当接個所を作用点Ｙ、支持アーム２７Ａ、２７Ｂの摺接部を力点Ｚとし、支持アーム２７Ａ、２７Ｂはスライド部材７の原位置と作動位置との間の移動で力点Ｚがカム面３０の形状に沿って上下動するのに伴い支点Ｘを中心として作用点Ｙを上下動し、スロープ板４は作用点Ｙの上下動に伴いスライド部材７への枢支個所を中心として持ち上げ持ち下げ作動されながら収納位置と使用位置との間で出し入れされる。このため、スロープ板４の持ち上げ持ち下げ作動をカム面３０の形状に応じて設定でき、スロープ板４の長さ寸法（図２及び図３の上下方向の寸法）に応じた最適な持ち上げ持ち下げ作動を得ることができる。
【００２８】
また、スロープ板４の使用位置から収装位置への移動で蝶番３４に有するねじりばねの弾性力により上方に回動してスロープ板収納部６の開口を閉じると共に、スロープ板４の収納位置から使用位置への移動で弾性力に抗してスロープ板４に押されて下方に回動して開口を開く開閉蓋３２を設けているため、電動モータ８の駆動によるスロープ板４の出し入れに伴い開口を自動的に開閉でき、開口を開閉するための格別な作業を不要にできる。
【００２９】
また、スロープ板４の収納位置から使用位置への移動でスロープ板４に押されて上方に回動し、スロープ板４の使用位置でスロープ板４と乗降口部２の床面３との間に存在する隙間を塞ぐ補助板３３を設けているため、乗客が乗降する際の安全性をより確実なものとすることができる。そして、補助板３３はスロープ板４の使用位置から収納位置への移動で自重により下方に回動し、さらに、この下方への回動を開閉蓋３２の弾性力による上方への回動で助成されるため、スロープ板４の使用位置から収納位置への移動に伴い補助板３３を自動的に迅速かつ確実に下方へ回動することができる。
【００３０】
なお、本発明の一実施形態では、電動モータ８により送りねじ１０を回転駆動してスライド部材７を原位置と作動位置との間で移動自在に設けたが、これに限定されるものではなく、送りねじ１０に換えて、例えばボールねじや無端索条等を用いても良いことは勿論である。また、電動モータ８を制御するスイッチとしてリミットスイッチ２６を設けたが、近接スイッチ等でも良いことは勿論である。また、スロープ板収納部６の底面に配置したカム部材２９に形成のカム面３０と接する力点Ｚを、支持アーム２７Ａ、２７Ｂの支点Ｘと作用点Ｙとの中間部に設けたが、スロープ板収納部６の上板３Ａ裏面にカム面３０を形成するカム部材２９を配置し、支持アーム２７Ａ、２７Ｂを支点Ｘより延在し、この延在した先端部にカム面３０と接する力点Ｚを設けても良いことは勿論である。さらに、支持部１７Ａ、１７Ｂ、リミットスイッチ２６、支持アーム２７Ａ、２７Ｂはそれぞれ２個設けたが、それぞれ１個でも良いことは勿論である。
【００３１】
【発明の効果】
このように請求項１にかかる発明では、スライド部材を電動モータにより駆動して原位置と作動位置との間で移動することで、スロープ板を収納位置と使用位置との間で自動的に出し入れできるから、スロープ板の出し入れを容易にすることができる。
【００３２】
また、請求項１にかかる発明では、スロープ板の収納位置から使用位置への移動において、スロープ板の先端に障害物が当接すると、スロープ板は弾性力に抗してスライド部材と相対移動してスイッチを作動し、このスイッチの作動で、電動モータを制御してスロープ板を収納位置へ戻すか又はスロープ板の移動を停止するため、スロープ板を電動モータにより自動的に出し入れしながらも、障害物が乗客の足等である場合の安全性を低下することなくできる。
【００３３】
【００３４】
また、請求項１にかかる発明では、スロープ板を弾性力で付勢するばねは、スライド部材に突設して先端でスロープ板の一端側を相対移動自在に枢支する支持部の内部に収装し、スイッチを作動するドグ部材を先端に取り付けたロッド部材は、スロープ板の枢支個所より突設して支持部内を延在して設けているため、スロープ板の一端側を相対移動自在に枢支する支持部を利用してばね、ロッド部材を配置でき、ばね、ロッド部材を配置するための格別なスペースを不要にできる。そして、電動モータを制御するスイッチを、ドグ部材で作動するため、スイッチの作動を確実なものとすることができる。
【００３５】
【００３６】
また、請求項２にかかる発明では、請求項１にかかる発明の効果に加え、スロープ板の使用位置から収納位置への移動で弾性力により上方に回動してスロープ板収納部の開口を閉じると共に、スロープ板の収納位置から使用位置への移動で弾性力に抗してスロープ板に押されて下方に回動して開口を開く開閉蓋を設けているため、電動モータの駆動によるスロープ板の出し入れに伴い開口を自動的に開閉でき、開口を開閉するための格別な作業を不要にできる。
【００３７】
また、請求項２にかかる発明では、請求項１にかかる発明の効果に加え、スロープ板の収納位置から使用位置への移動でスロープ板に押されて上方に回動し、スロープ板の使用位置でスロープ板と乗降口部の床面との間に存在する隙間を塞ぐ補助板を設けているため、乗客が乗降する際の安全性をより確実なもとすることができる。そして、補助板はスロープ板の使用位置から収納位置への移動で自重により下方に回動し、さらに、この下方への回動を開閉蓋の弾性力による上方への回動で助成されるため、スロープ板の使用位置から収納位置への移動に伴い補助板を自動的に迅速かつ確実に下方へ回動することができる。
【図面の簡単な説明】
【図１】  本発明の一実施形態を示した車両に装備されるスロープ板装置の概略図である。
【図２】  本発明の一実施形態を示した車両に装備されるスロープ板装置の図３の線Ｂ−Ｂに沿った断面図である。
【図３】  図２の線Ａ−Ａに沿った断面図である。
【図４】  図２の線Ｃ−Ｃに沿った拡大断面図である。
【図５】  図４の線Ｄ−Ｄに沿った断面図である。
【図６】  図２の線Ｅ−Ｅに沿った拡大断面図である。
【符号の説明】
１車両
２乗降口部
３床面
４スロープ板
５地面
６スロープ板収納部
７スライド部材
８電動モータ
１７Ａ、１７Ｂ支持部
２３ばね
２４ロッド部材
２５ドグ部材
２６リミットスイッチ
２７Ａ、２７Ｂ支持アーム
３０カム面
３２開閉蓋
３３補助板
Ｘ支点
Ｙ作用点
Ｚ力点
【図１】
0003810180.tif 000002
【図２】
0003810180.tif 000003
【図３】
0003810180.tif 000004
【図４】
0003810180.tif 000005
【図５】
0003810180.tif 000006
【図６】
0003810180.tif 000007